(57)【要約】【課題】経年劣化に起因するバックライトの輝度の低下に対してバックライトの輝度の補正をより精度よく行うことが可能な表示装置を提供する。【解決手段】この情報端末１００（表示装置）は、画像を表示可能な液晶パネル１と、液晶パネル１に光を照射するバックライト３と、輝度を測定する明るさセンサ４と、明るさセンサ４の測定結果に基づいてバックライト３の輝度の補正を行うＣＰＵ２とを備える。そして、ＣＰＵ２は、バックライト３の光以外の外光が所定の閾値以下の場合には、外光の影響がないと判断し、バックライト３の輝度の補正を行うように構成されている。【選択図】図２
2013164561.tif 000002
【特許請求の範囲】
【請求項１】
画像を表示可能な表示パネルと、
前記表示パネルに光を照射するバックライトと、
輝度を測定する輝度センサと、
前記輝度センサの測定結果に基づいて前記バックライトの輝度の補正を行う制御部とを備え、
前記制御部は、バックライトの光以外の外光が所定の閾値以下の場合には、外光の影響がないと判断し、前記バックライトの輝度の補正を行うように構成されている、表示装置。
【請求項２】
前記制御部は、外光検知部による外光の検知結果に基づいて、外光の影響がないと判断した場合に、前記バックライトの輝度の補正を行うように構成されている、請求項１に記載の表示装置。
【請求項３】
前記輝度センサは、前記バックライトの輝度の測定に加え、外光を検知する前記外光検知部としても機能するように構成されており、
前記制御部は、前記輝度センサの測定結果に基づいて、外光の影響があるか否かを判断するとともに、外光の影響がないと判断した場合に、前記バックライトの輝度の補正を行うように構成されている、請求項２に記載の表示装置。
【請求項４】
前記表示装置に電力を供給するバッテリをさらに備え、
前記制御部は、外光の影響がないと判断した場合でも、前記バッテリの残量が所定の量より少ない場合は、前記バックライトの輝度の補正を行わないように構成されている、請求項１〜３のいずれか１項に記載の表示装置。
【請求項５】
前記制御部は、前記バッテリの残量が所定の量より少ない場合に、前記輝度センサによる前記バックライトの輝度の測定を行わないように構成されている、請求項４に記載の表示装置。
【請求項６】
前記制御部は、前記バッテリの経年変化に基づいて、前記バックライトの輝度の補正を行うように構成されている、請求項４または５に記載の表示装置。
【請求項７】
前記制御部は、前記輝度センサによる前記バックライトの輝度の測定結果が、所定の閾値より小さい場合に、前記バックライトの輝度の補正を行うとともに、前記バッテリの経年変化に基づいて、前記所定の閾値を決定するように構成されている、請求項６に記載の表示装置。
【請求項８】
時刻を計る計時部をさらに備え、
前記制御部は、前記計時部の時刻が外光の影響がなくなると推測される時刻になったことに基づいて、前記バックライトの輝度の補正を行うように構成されている、請求項１〜７のいずれか１項に記載の表示装置。
【請求項９】
前記制御部は、前記計時部の時刻が外光の影響がなくなると推測される時刻になったことに基づいて、外光の影響の有無を判断するとともに、外光の影響がないと判断した場合に、前記バックライトの輝度の補正を行うように構成されている、請求項８に記載の表示装置。
【請求項１０】
前記輝度センサの測定結果を記憶する記憶部をさらに備え、
前記制御部は、前記記憶部に記憶された前記輝度センサの測定結果の履歴に基づいて、外光の影響がなくなる時刻を推測するように構成されている、請求項８または９に記載の表示装置。
【発明の詳細な説明】
【技術分野】
【０００１】
この発明は、表示装置に関し、特に、バックライトを備えた表示装置に関する。
【背景技術】
【０００２】
従来、バックライトを備えた表示装置が知られている（たとえば、特許文献１参照）。
【０００３】
上記特許文献１には、画像を表示可能な液晶パネル（表示パネル）と、液晶パネルに光を照射するバックライトと、バックライトの輝度を測定する輝度センサと、輝度センサの測定結果に基づいてバックライトの輝度の補正を行う制御回路（制御部）とを備えた液晶表示装置（表示装置）が開示されている。この液晶表示装置は、外光を検出する光検出素子をさらに備え、制御回路は、光検出素子により検出した外光の輝度と、輝度センサにより測定したバックライトの輝度とに基づいてバックライトの輝度の補正を行うように構成されている。
【先行技術文献】
【特許文献】
【０００４】
【特許文献１】特開２００８−９０９０号公報
【発明の概要】
【発明が解決しようとする課題】
【０００５】
しかしながら、上記特許文献１の液晶表示装置（表示装置）では、外光の輝度と、バックライトの輝度とに基づいてバックライトの輝度の補正が行われるので、外光の影響を加味してバックライトの輝度の補正を行う必要がある。このため、外光の影響を加味する分、補正時のバラメータが増加し、バックライトの輝度の補正が複雑になるので、経年劣化に起因するバックライトの輝度の低下に対してバックライトの輝度の補正をより精度よく行うことができないという問題点がある。
【０００６】
この発明は、上記のような課題を解決するためになされたものであり、この発明の１つの目的は、経年劣化に起因するバックライトの輝度の低下に対してバックライトの輝度の補正をより精度よく行うことが可能な表示装置を提供することである。
【課題を解決するための手段】
【０００７】
この発明の一の局面による表示装置は、画像を表示可能な表示パネルと、表示パネルに光を照射するバックライトと、輝度を測定する輝度センサと、輝度センサの測定結果に基づいてバックライトの輝度の補正を行う制御部とを備え、制御部は、バックライトの光以外の外光が所定の閾値以下の場合には、外光の影響がないと判断し、バックライトの輝度の補正を行うように構成されている。
【０００８】
この発明の一の局面による表示装置では、上記のように、バックライトの光以外の外光が所定の閾値以下の場合には、外光の影響がないと判断し、バックライトの輝度の補正を行うように制御部を構成することによって、外光の影響を受けることなく経年劣化に起因するバックライトの輝度の低下に対してバックライトの輝度の補正をより精度よく行うことができる。これにより、経年劣化によりバックライトの輝度が低下した場合でも、ユーザが感じる表示装置の輝度低下による違和感をより軽減することができる。
【０００９】
上記一の局面による表示装置において、好ましくは、制御部は、外光検知部による外光の検知結果に基づいて、外光の影響がないと判断した場合に、バックライトの輝度の補正を行うように構成されている。このように構成すれば、外光検知部による外光の検知結果に基づいて外光の影響の有無を容易に判断することができるので、バックライトの輝度の補正を容易により精度よく行うことができる。
【００１０】
この場合、好ましくは、輝度センサは、バックライトの輝度の測定に加え、外光を検知する外光検知部としても機能するように構成されており、制御部は、輝度センサの測定結果に基づいて、外光の影響があるか否かを判断するとともに、外光の影響がないと判断した場合に、バックライトの輝度の補正を行うように構成されている。このように構成すれば、外光を検知する外光検知部を別途設ける必要がないので、外光を検知する構成にしたとしても、部品点数が増加するのを防止することができる。
【００１１】
上記一の局面による表示装置において、好ましくは、表示装置に電力を供給するバッテリをさらに備え、制御部は、外光の影響がないと判断した場合でも、バッテリの残量が所定の量より少ない場合は、バックライトの輝度の補正を行わないように構成されている。このように構成すれば、バッテリの残量が少ない場合にバックライトの輝度の補正によりバッテリの残量がなくなって表示装置を駆動できなくなるのを抑制することができる。この効果は、バッテリ駆動の携帯型表示装置に適用した場合に特に有効である。また、バッテリを設けることにより、表示装置の使用場所によらず表示装置を自動起動させてバックライトの輝度の補正を行うことができる。
【００１２】
この場合、好ましくは、制御部は、バッテリの残量が所定の量より少ない場合に、輝度センサによるバックライトの輝度の測定を行わないように構成されている。このように構成すれば、バッテリの残量が少ない場合にバックライトの輝度の測定によりバッテリの残量がなくなって表示装置を駆動できなくなるのを抑制することができる。
【００１３】
上記表示装置がバッテリを備える構成において、好ましくは、制御部は、バッテリの経年変化に基づいて、バックライトの輝度の補正を行うように構成されている。このように構成すれば、バッテリの経年変化（経年劣化）に応じてバックライトの輝度の補正回数を調整するなど、バッテリの劣化状態に適した補正を行うことができる。
【００１４】
この場合、好ましくは、制御部は、輝度センサによるバックライトの輝度の測定結果が、所定の閾値より小さい場合に、バックライトの輝度の補正を行うとともに、バッテリの経年変化に基づいて、所定の閾値を決定するように構成されている。このように構成すれば、バッテリの経年変化に伴って所定の閾値を下げれば、バッテリの経年変化に応じてバックライトの輝度の補正の回数を減らすことができるので、バッテリの寿命を延ばすことができる。
【００１５】
上記一の局面による表示装置において、好ましくは、時刻を計る計時部をさらに備え、制御部は、計時部の時刻が外光の影響がなくなると推測される時刻になったことに基づいて、バックライトの輝度の補正を行うように構成されている。このように構成すれば、外光の影響がなくなると推測される時刻にバックライトの輝度の補正を行うことができるので、バックライトの輝度の補正を外光の影響がない時刻に効率よく行うことができる。
【００１６】
この場合、好ましくは、制御部は、計時部の時刻が外光の影響がなくなると推測される時刻になったことに基づいて、外光の影響の有無を判断するとともに、外光の影響がないと判断した場合に、バックライトの輝度の補正を行うように構成されている。このように構成すれば、外光の影響がなくなると推測される時刻に外光の影響がないことを確認してからバックライトの輝度の補正を行うので、外光の影響がない時刻に確実に外光の影響がない状態でバックライトの輝度の補正を行うことができる。
【００１７】
上記表示装置が計時部を備える構成において、好ましくは、輝度センサの測定結果を記憶する記憶部をさらに備え、制御部は、記憶部に記憶された輝度センサの測定結果の履歴に基づいて、外光の影響がなくなる時刻を推測するように構成されている。このように構成すれば、輝度センサの測定結果の履歴に基づいて外光の影響がなくなる時刻を推測することができるので、ユーザのライフスタイルに合せて外光の影響がない時刻に効率よくバックライトの輝度の補正を行うことができる。
【発明の効果】
【００１８】
本発明によれば、上記のように、経年劣化に起因するバックライトの輝度の低下に対してバックライトの輝度の補正をより精度よく行うことができる。
【図面の簡単な説明】
【００１９】
【図１】本発明の第１および第２実施形態による情報端末の構成を示したブロック図である。
【図２】本発明の第１実施形態による情報端末のＣＰＵによるバックライトの輝度補正処理を説明するためのフローチャートである。
【図３】本発明の第１実施形態による情報端末のバックライトの相対輝度値の変化を説明するための図である。
【図４】本発明の第１実施形態による情報端末の外光およびバックライトの輝度測定を説明するための図である。
【図５】本発明の第２実施形態による情報端末のＣＰＵによるバックライトの輝度補正処理を説明するためのフローチャートである。
【図６】本発明の第１実施形態の第１変形例による情報端末の構成を示したブロック図である。
【図７】本発明の第１実施形態の第１変形例による情報端末のＣＰＵによるバックライトの輝度補正処理を説明するためのフローチャートである。
【図８】本発明の第１実施形態の第２変形例による情報端末のＣＰＵによるバックライトの輝度補正処理を説明するためのフローチャートである。
【発明を実施するための形態】
【００２０】
以下、本発明の実施形態を図面に基づいて説明する。
【００２１】
（第１実施形態）
まず、図１〜図４を参照して、本発明の第１実施形態による情報端末１００の構成について説明する。なお、情報端末１００は、本発明の「表示装置」の一例である。
【００２２】
情報端末１００は、図１に示すように、液晶パネル１と、ＣＰＵ（中央処理装置）２と、バックライト３と、明るさセンサ４と、バックライトドライバ５と、バッテリ６と、ＲＴＣ（リアルタイムクロック）７と、メモリ８とを備えている。なお、液晶パネル１は、本発明の「表示パネル」の一例であり、ＣＰＵ２は、本発明の「制御部」の一例である。また、明るさセンサ４は、本発明の「輝度センサ」および「外光検知部」の一例である。また、ＲＴＣ７は、本発明の「計時部」の一例であり、メモリ８は、本発明の「記憶部」の一例である。
【００２３】
液晶パネル１は、画像を表示可能に構成されている。具体的には、液晶パネル１は、テキスト情報、動画および静止画などの画像を表示するように構成されている。
【００２４】
ＣＰＵ２は、情報端末１００の各部を制御するように構成されている。また、ＣＰＵ２は、液晶パネル１を制御して、画像を液晶パネル１に表示させるように構成されている。また、ＣＰＵ２は、バックライトドライバ５を駆動してバックライト３の輝度の制御を行うように構成されている。また、ＣＰＵ２は、外光およびバックライト３の輝度の測定結果を明るさセンサ４から取得するように構成されている。また、ＣＰＵ２は、ＲＴＣ７から現在の時刻を取得するように構成されている。また、ＣＰＵ２は、外光およびバックライト３の輝度の測定結果をメモリ８に記憶するように構成されている。
【００２５】
ここで、第１実施形態では、ＣＰＵ２は、バックライト３の輝度の補正を行うように構成されている。具体的には、ＣＰＵ２は、明るさセンサ４による外光およびバックライト３の輝度の測定結果に基づいて、外光が所定の閾値以下の場合には、外光の影響がないと判断し、バックライト３の輝度の補正を行うように構成されている。また、ＣＰＵ２は、バッテリ６の残量が３０％より少ない場合に、明るさセンサ４によるバックライト３の輝度の測定を行わないとともに、バックライト３の輝度の補正を行わないように構成されている。また、ＣＰＵ２は、ＲＴＣ７の時刻が外光の影響がなくなると推測される時刻（ＡＭ１：００〜ＡＭ５：００）になったことに基づいて、バックライト３の輝度の補正を行うように構成されている。
【００２６】
バックライト３は、液晶パネル１に光を照射するように構成されている。これにより、液晶パネル１が、明るく、かつ、鮮明な画像を表示することが可能に構成されている。また、バックライト３は、図示しない複数のＬＥＤ（発光ダイオード）を含む。また、バックライト３は、バックライトドライバ５によるパルス駆動により、高周波で点滅させられるように構成されている。また、バックライト３は、パルス駆動のデューティ比を変化させることにより、輝度が制御されるように構成されている。これにより、バックライト３の輝度を補正することが可能である。
【００２７】
ここで、バックライト３は、図３に示すように、バックライト３の性能の上限（＝１００％）に対する相対輝度値が動作時間が大きくなるに従い低下していく。図３のＲＬ１は、バックライト３の相対輝度値（輝度）の初期値を１００％にした場合であり、ＲＬ２は、相対輝度値（輝度）の初期値を８０％にした場合である。また、ＲＬ３は、ＲＬ２の状態からバックライト３の相対輝度値（輝度）を初期値である８０％を目標に補正した場合である。このように、予めバックライト３の相対輝度値（輝度）の初期値を８０％にしておくことにより、所定の動作時間が経過するまでは、バックライト３の経年劣化に応じて、バックライト３の相対輝度値（輝度）を初期値の８０％に補正することが可能である。
【００２８】
明るさセンサ４は、バックライト３の輝度を測定するように構成されている。また、明るさセンサ４は、バックライト３の光以外の外光を検知するように構成されている。具体的には、明るさセンサ４は、図４に示すように、バックライト３のパルス駆動のデューティ比を０％から１００％に変化させた際に、デューティ比の増加に従って測定する輝度値が増加するか否かにより、外光の有無を検知するように構成されている。つまり、外光が無い場合、明るさセンサ４は、バックライト３の光のみを検知するので、図４のＬ１のように、デューティ比の増加に従って輝度値が直線的に増加する。一方、外光が有る場合には、明るさセンサ４は、外光およびバックライト３の光の両方を検知するので、図４のＬ２のように、外光の影響により、デューティ比が増加しても輝度値はある程度一定となる。すなわち、バックライト３による輝度よりも外光による輝度（７０％）の影響が大きい場合には、デューティ比によらず輝度値が一定となる。
【００２９】
バックライトドライバ５は、バックライト３に電流を供給してバックライト３を点灯させるように構成されている。具体的には、バックライトドライバ５は、ＰＷＭ（Ｐｕｌｓｅ  Ｗｉｄｔｈ  Ｍｏｄｕｌａｔｉｏｎ）制御のパルス駆動により、バックライト３を点灯させるように構成されている。バッテリ６は、情報端末１００の各部に電力を供給するように構成されている。また、バッテリ６は、充電可能な二次電池（たとえば、リチウムイオン電池）からなる。
【００３０】
ＲＴＣ７は、現在の時刻を計るように構成されている。メモリ８は、明るさセンサ４によるバックライト３の輝度の測定結果を記憶可能に構成されている。また、メモリ８は、情報端末１００で用いられるアプリケーションソフトを記憶可能に構成されている。
【００３１】
次に、図２を参照して、情報端末１００のＣＰＵ２がバックライト３の輝度の補正を行う処理について説明する。
【００３２】
ユーザが情報端末１００の電源ボタン（図示せず）を操作して情報端末１００を起動すると、ステップＳ１において、ＣＰＵ２は、情報端末１００の画面の明るさが最大のときの設定としてバックライト３の相対輝度値（図３参照）が８０％になるように設定する。ＣＰＵ２は、ステップＳ２において、情報端末１００の電源がＯＮであり、かつ、バックライト３が点灯しているか否かを判断する。情報端末１００がスタンバイ状態である、または、バックライト３が消灯していれば、情報端末１００の電源がＯＮであり、かつ、バックライト３が点灯するまで、この判断を繰り返す。情報端末１００の電源がＯＮであり、かつ、バックライト３が点灯していれば、ステップＳ３に進む。
【００３３】
ＣＰＵ２は、ステップＳ３において、バッテリ６の残量が３０％以上あるか否かを判断する。バッテリ６の残量が３０％未満であれば、バッテリ６が充電されて残量が３０％以上になるまで、この判断を繰り返す。バッテリ６の残量が３０％以上であれば、ステップＳ４において、ＣＰＵ２は、明るさセンサ４により外光およびバックライト３の輝度を測定する。
【００３４】
ここで、第１実施形態では、ＣＰＵ２は、ステップＳ５において、明るさセンサ４の測定結果に基づいて外光の影響があるか否かを判断する。外光の影響があれば、ステップＳ１３に進む。外光の影響がなければ、ステップＳ６において、ＣＰＵ２は、情報端末１００の画面の明るさが最大であるか否かを判断する。つまり、ＣＰＵ２は、バックライト３の相対輝度値が情報端末１００の画面の明るさが最大のときの値（＝８０％）であるか否かを判断する。情報端末１００の画面の明るさが最大であれば、ステップＳ７に進む。情報端末１００の画面の明るさが最大でなければ、ステップＳ１６において、ＣＰＵ２は、情報端末１００の画面の明るさを最大に調整する。つまり、ＣＰＵ２は、バックライトドライバ５を介して、バックライト３のパルス駆動のデューティ比を変化させることによりバックライト３の相対輝度値を調整して、情報端末１００の画面の明るさを最大に調整する。
【００３５】
ＣＰＵ２は、ステップＳ７において、今回のバックライト３の輝度の測定が初めての測定であるか否かを判断する。つまり、ＣＰＵ２は、ユーザが情報端末２を取得してから初めてのバックライト３の輝度の測定であったか否かを判断する。初めての測定でなければ（２回目以降の測定であれば）、ステップＳ１７に進む。初めての測定であれば、ステップＳ８において、ＣＰＵ２は、バックライト３の輝度の測定結果を、初期の測定結果Ａとして測定時間とともにメモリ８に記憶させる。
【００３６】
ＣＰＵ２は、ステップＳ９において、情報端末１００の画面の明るさが最大のときの設定として、現在のバックライト３のパルス駆動のデューティ比を設定する。ＣＰＵ２は、ステップＳ１０において、情報端末１００を自動起動したか否かを判断する。情報端末１００を自動起動していなければ、ステップＳ１２に進む。情報端末１００を自動起動していれば、ステップＳ１１において、ＣＰＵ２は、情報端末１００をスタンバイ状態にして、ステップＳ１２に進む。すなわち、情報端末１００を元の状態に戻す。
【００３７】
ＣＰＵ２は、ステップＳ１２において、前回のバックライト３の輝度の測定から１００時間以上経過しているか否かを判断する。１００時間以上経過していなければ、１００時間以上経過するまで、この判断を繰り返す。１００時間以上経過していれば、ステップＳ２に戻る。
【００３８】
また、第１実施形態では、ステップＳ５において、外光の影響があると判断した場合、ＣＰＵ２は、ステップＳ１３において、ＲＴＣ７の現在の時刻が外光の影響がなくなると推測されて予め設定されたＡＭ１：００〜ＡＭ５：００であるか否かを判断する。つまり、ＣＰＵ２は、外光の影響がなくなると推測される時刻になったか否かを判断する。現在の時刻がＡＭ１：００〜ＡＭ５：００でなければ、ＡＭ１：００〜ＡＭ５：００になるまで、この判断を繰り返す。現在の時刻がＡＭ１：００〜ＡＭ５：００であれば、ステップＳ１４に進む。
【００３９】
ＣＰＵ２は、ステップＳ１４において、情報端末１００がスタンバイ状態であるか否かを判断する。情報端末１００の電源がＯＮであれば、ステップＳ３に戻る。情報端末１００の電源がスタンバイ状態であれば、ステップＳ１５において、ＣＰＵ２は、情報端末１００を自動起動（電源ＯＮ）するとともにバックライト３を点灯させる。その後、ステップＳ３に戻る。
【００４０】
ステップＳ７において、バックライト３の輝度の測定が初めての測定ではないと判断した場合、ＣＰＵ２は、ステップＳ１７において、バックライト３の輝度の測定結果を現在の測定結果Ｂとして測定時間とともにメモリ８に記憶させる。ＣＰＵ２は、ステップＳ１８において、測定結果Ｂ≦測定結果Ａ×０．９５であるか否かを判断する。つまり、ＣＰＵ２は、バックライト３の輝度の現在の測定結果Ｂが初期の測定結果Ａに対して９５％以下であるか否かを判断する。測定結果Ｂ＞測定結果Ａ×０．９５であれば、ステップＳ９に進む。測定結果Ｂ≦測定結果Ａ×０．９５であれば、ステップＳ１９において、ＣＰＵ２は、バックライト３の輝度の補正を行う。具体的には、ＣＰＵ２は、バックライト３のパルス駆動のデューティ比を調整してバックライト３の輝度の補正を行う。
【００４１】
ＣＰＵ２は、ステップＳ２０において、補正後のバックライト３の輝度が測定結果Ｂ≦測定結果Ａ×０．９５であるか否かを判断する。具体的には、ＣＰＵ２は、バックライト３の輝度の補正後に、明るさセンサ４により、バックライト３の輝度を測定して、測定結果Ｂ≦測定結果Ａ×０．９５であるか否かを判断する。測定結果Ｂ＞測定結果Ａ×０．９５であれば、ステップＳ９に進む。測定結果Ｂ≦測定結果Ａ×０．９５であれば、ステップＳ２１に進む。これにより、バックライト３の輝度が正しく補正されたか否かを確認することが可能である。
【００４２】
ＣＰＵ２は、ステップＳ２１において、バックライト３のパルス駆動のデューティ比が１００％であるか否かを判断する。デューティ比が１００％未満であれば、ステップＳ１８に戻る。デューティ比が１００％であれば、ステップＳ２２において、ＣＰＵ２は、情報端末１００の画面の明るさが最大のときの設定として、現在のバックライト３のパルス駆動のデューティ比（＝１００％）を設定する。ＣＰＵ２は、ステップＳ２３において、情報端末１００を自動起動したか否かを判断する。情報端末１００を自動起動していなければ、バックライト３の輝度の補正を行う処理を終了する。情報端末１００を自動起動していれば、ステップＳ２４において、ＣＰＵ２は、情報端末１００をスタンバイ状態にして、バックライト３の輝度の補正を行う処理を終了する。
【００４３】
第１実施形態では、上記のように、バックライト３の光以外の外光が所定の閾値以下の場合には、外光の影響がないと判断し、バックライト３の輝度の補正を行うようにＣＰＵ２を構成することによって、外光の影響を受けることなく経年劣化に起因するバックライト３の輝度の低下に対してバックライト３の輝度の補正をより精度よく行うことができる。これにより、経年劣化によりバックライト３の輝度が低下した場合でも、ユーザが感じる情報端末１００の輝度低下による違和感をより軽減することができる。
【００４４】
また、第１実施形態では、上記のように、ＣＰＵ２を、明るさセンサ４による外光の検知結果に基づいて、外光の影響がないと判断した場合に、バックライト３の輝度の補正を行うように構成することによって、明るさセンサ４による外光の検知結果に基づいて外光の影響の有無を容易に判断することができるので、バックライト３の輝度の補正を容易により精度よく行うことができる。
【００４５】
また、第１実施形態では、上記のように、明るさセンサ４を、バックライト３の輝度の測定に加え、外光を検知するように構成することによって、外光を検知する外光検知部を別途設ける必要がないので、外光を検知する構成において、部品点数が増加するのを防止することができる。
【００４６】
また、第１実施形態では、上記のように、バッテリ６を設けるとともに、ＣＰＵ２を、外光の影響がないと判断した場合でも、バッテリ６の残量が３０％より少ない場合は、バックライト３の輝度の補正を行わないように構成することによって、バッテリ６の残量が３０％より少ない場合にバックライト３の輝度の補正によりバッテリ６の残量がなくなって情報端末１００を駆動できなくなるのを抑制することができる。また、バッテリ６を設けることにより、情報端末１００の使用場所によらず情報端末１００を自動起動させてバックライト３の輝度の補正を行うことができる。
【００４７】
また、第１実施形態では、上記のように、ＣＰＵ２を、バッテリ６の残量が３０％より少ない場合に、明るさセンサ４によるバックライト３の輝度の測定を行わないように構成することによって、バッテリ６の残量が３０％より少ない場合にバックライト３の輝度の測定によりバッテリ６の残量がなくなって表示装置を駆動できなくなるのを抑制することができる。
【００４８】
また、第１実施形態では、上記のように、ＣＰＵ２を、ＲＴＣ７の時刻が外光の影響がなくなると推測される時刻（ＡＭ１：００〜ＡＭ５：００）になったことに基づいて、バックライト３の輝度の補正を行うように構成することによって、外光の影響がなくなると推測される時刻（ＡＭ１：００〜ＡＭ５：００）にバックライト３の輝度の補正を行うことができるので、バックライト３の輝度の補正を外光の影響がない時刻に効率よく行うことができる。
【００４９】
また、第１実施形態では、上記のように、ＣＰＵ２を、ＲＴＣ７の時刻が外光の影響がなくなると推測される時刻（ＡＭ１：００〜ＡＭ５：００）になったことに基づいて、外光の影響の有無を判断するとともに、外光の影響がないと判断した場合に、バックライト３の輝度の補正を行うように構成することによって、外光の影響がなくなると推測される時刻（ＡＭ１：００〜ＡＭ５：００）に外光の影響がないことを確認してからバックライト３の輝度の補正を行うので、外光の影響がない時刻に確実に外光の影響がない状態でバックライト３の輝度の補正を行うことができる。
【００５０】
（第２実施形態）
次に、図５を参照して、本発明の第２実施形態による情報端末１００の構成について説明する。この第２実施形態では、バッテリの経年変化によらずバックライトの輝度の補正を行う上記第１実施形態と異なり、バッテリの経年変化に応じてバックライトの輝度の補正を行う構成の例について説明する。なお、情報端末１００は、本発明の「表示装置」の一例である。
【００５１】
ここで、第２実施形態では、図５に示すように、ステップＳ２において、ＣＰＵ２が、情報端末１００の電源がＯＮであり、かつ、バックライト３が点灯していると判断した後に、ステップＳ３１に進む。そして、ＣＰＵ２は、ステップＳ３１において、バッテリ６の経年変化の測定およびバックライト３の輝度の補正の閾値の設定を行う。具体的には、ＣＰＵ２は、バッテリ６の満充電時の電圧の値を測定することにより、バッテリ６の経年変化を測定する。また、ＣＰＵ２は、バッテリ６の経年変化に基づいてバックライト３の輝度の補正の閾値を決定して設定する。なお、バックライト３の輝度の補正の閾値は、バッテリ６の経年変化に伴い下がるように設定される。
【００５２】
また、第２実施形態では、ステップＳ１７において、ＣＰＵ２が、バックライト３の輝度の測定結果を現在の測定結果Ｂとして測定時間とともにメモリ８に記憶させた後に、ステップＳ１８ａに進む。そして、ＣＰＵ２は、ステップＳ１８ａにおいて、測定結果Ｂ≦閾値であるか否かを判断する。具体的には、ＣＰＵ２は、バックライト３の輝度の現在の測定結果Ｂがバッテリ６の経年変化に基づくバックライト３の補正の閾値以下であるか否かを判断する。測定結果Ｂ＞閾値であれば、ステップＳ９に進む。測定結果Ｂ≦閾値であれば、ステップＳ１９に進む。
【００５３】
ステップＳ１９において、ＣＰＵ２が、バックライト３の輝度の補正を行った後、ステップＳ２０ａに進む。そして、ＣＰＵ２は、ステップＳ２０ａにおいて、補正後のバックライト３の輝度が測定結果Ｂ≦閾値であるか否かを判断する。具体的には、ＣＰＵ２は、バックライト３の輝度の補正後に、明るさセンサ４により、バックライト３の輝度を測定して、測定結果Ｂ≦閾値であるか否かを判断する。測定結果Ｂ＞閾値であれば、ステップＳ９に進む。測定結果Ｂ≦閾値であれば、ステップＳ２１に進む。これにより、バックライト３の輝度が正しく補正されたか否かを確認することが可能である。
【００５４】
なお、第２実施形態のその他の構成は、上記第１実施形態と同様である。
【００５５】
第２実施形態の構成においても、上記第１実施形態と同様に、バックライト３の光以外の外光が所定の閾値以下の場合には、外光の影響がないと判断し、バックライト３の輝度の補正を行うようにＣＰＵ２を構成することによって、外光の影響を受けることなく経年劣化に起因するバックライト３の輝度の低下に対してバックライト３の輝度の補正をより精度よく行うことができる。
【００５６】
さらに、第２実施形態では、上記のように、ＣＰＵ２を、明るさセンサ４によるバックライト３の輝度の測定結果が、所定の閾値より小さい場合に、バックライト３の輝度の補正を行うとともに、バッテリ６の経年変化に基づいて、所定の閾値を決定するように構成することによって、バッテリ６の経年変化に伴って所定の閾値を下げることにより、バッテリ６の経年変化に応じてバックライト３の輝度の補正の回数を減らすことができるので、バッテリ６の寿命を延ばすことができる。
【００５７】
なお、第２実施形態のその他の効果は、上記第１実施形態と同様である。
【００５８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５９】
たとえば、上記第１および第２実施形態では、本発明の表示装置の一例として情報端末を適用する例を示したが、本発明はこれに限られない。情報端末以外の表示装置に本発明を適用してもよい。たとえば、携帯電話、テレビジョン装置またはＰＣ（パーソナルコンピュータ）のディスプレイ等に本発明を適用してもよい。
【００６０】
また、上記第１実施形態では、輝度センサとしての明るさセンサがバックライトの輝度の測定およびバックライトの光以外の外光の検知の両方を行う構成の例を示したが、本発明はこれに限られない。本発明では、図６に示す第１実施形態の第１変形例のように、情報端末１００ａは、明るさセンサの替りに、バックライト３の輝度を測定する輝度センサ４ａおよび外光を検知する照度センサ４ｂを設ける構成であってもよい。なお、情報端末１００ａは、本発明の「表示装置」の一例であり、照度センサ４ｂは、本発明の「外光検知部」の一例である。この場合、図７に示すように、ステップＳ５において、ＣＰＵ２が、照度センサ４ｂの測定結果に基づいて外光の影響があると判断した後、ステップＳ１３ａに進む。そして、ＣＰＵ２は、ステップＳ１３ａにおいて、照度センサ４ｂの測定結果に基づいて外光の影響がなくなったか否かを判断する。外光の影響があれば、外光の影響がなくなるまで、この判断を繰り返す。外光の影響がなくなれば、ステップＳ１４に進む。つまり、ＣＰＵ２は、外光の影響がなくなったことに基づいて、バックライト３の輝度の補正を行うように構成してもよい。なお、第１変形例のその他の構成は、上記第１実施形態と同様である。
【００６１】
また、上記第１実施形態では、外光の影響がなくなると推測される時刻がＡＭ１：００〜ＡＭ５：００に設定されている構成の例を示したが、本発明はこれに限られない。本発明では、外光の影響がなくなると推測される時刻がＡＭ１：００〜ＡＭ５：００以外の時刻に設定されていてもよい。また、記憶部に記憶された輝度センサの測定結果の履歴に基づいて、制御部が外光の影響がなくなる時刻を推測するように構成してもよい。
【００６２】
たとえば、図８に示す第１実施形態の第２変形例のように、ステップＳ５において、ＣＰＵ２が、明るさセンサ４の測定結果に基づいて外光の影響があると判断した後、ステップＳ４１に進む。そして、ＣＰＵ２は、ステップＳ４１において、補正最適時刻を設定する。詳しくは、ＣＰＵ２は、メモリ８に記憶された明るさセンサ４の測定結果の履歴に基づいて、外光の影響がなくなる時刻を推測して補正最適時刻を設定する。なお、ＣＰＵ２は、測定結果の履歴に基づいて外光の影響がないまたは少ない時間帯を補正最適時刻として設定する。ＣＰＵ２は、ステップＳ１３ｂにおいて、ＲＴＣ７の時刻に基づいて、現在が補正最適時刻であるか否かを判断する。補正最適時刻でなければ、補正最適時刻になるまで、この判断を繰り返す。補正最適時刻であれば、ステップＳ１４に進む。また、第２変形例のその他の構成は、上記第１実施形態と同様である。このように構成することによって、明るさセンサ４の測定結果の履歴に基づいて外光の影響がなくなる時刻を推測できるので、ユーザのライフスタイルに合せて外光の影響がない時刻に効率よくバックライト３の輝度の補正を行うことができる。
【００６３】
また、上記第１および第２実施形態では、説明の便宜上、ＣＰＵ（制御部）の処理動作を処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００６４】
１  液晶パネル（表示パネル）
２  ＣＰＵ（制御部）
３  バックライト
４  明るさセンサ（輝度センサ、外光検知部）
４ａ  輝度センサ
４ｂ  照度センサ（外光検知部）
６  バッテリ
７  ＲＴＣ（計時部）
８  メモリ（記憶部）
１００  １００ａ  情報端末（表示装置）
【図１】
2013164561.tif 000003
【図２】
2013164561.tif 000004
【図３】
2013164561.tif 000005
【図４】
2013164561.tif 000006
【図５】
2013164561.tif 000007
【図６】
2013164561.tif 000008
【図７】
2013164561.tif 000009
【図８】
2013164561.tif 000010